(57)【要約】【課題】繰り返し利用したり、若しくは洗濯機によって洗濯しても連結力が劣ることはなく、また洗濯の際に他の衣服に傷を付けることはなく、さらに幼児や高齢者であっても容易に取り付けることができる長さ調整可能な衣服を提供する。【解決手段】第１帯状部１４の端部１４ａと第２帯状部１６の端部１６ａが連結されることにより輪を形成し、その輪を身体の一部に掛けることによって身体に装着される衣服１０において、前記第１帯状部１４の端部１４ａには、第１結合部材１８が固定されて設けられており、記第２帯状部１６には、前記第１結合部材１８と結合可能な第２結合部材２２が前記第２帯状部１６の長手方向に移動可能設けられていることを特徴とする長さ調整可能な衣服である。【選択図】図１
0003122747.tif 000002
【実用新案登録請求の範囲】
【請求項１】
第１帯状部の端部と第２帯状部の端部が連結されることにより輪を形成し、その輪を身体の一部に掛けることによって身体に装着される衣服において、
前記第１帯状部の端部には、第１結合部材が固定されて設けられており、
前記第２帯状部には、前記第１結合部材と結合可能な第２結合部材が前記第２帯状部の長手方向に移動可能設けられていることを特徴とする長さ調整可能な衣服。
【請求項２】
前記第１結合部材及び第２結合部材のいずれか一方は、磁石から構成され、他方は、その磁石と結合可能な素材から構成されていることを特徴とする請求項１記載の長さ調整可能な衣服。
【請求項３】
前記第２帯状部の一方の面には、その端部から長手方向に沿って形成された固定布が設けられており、前記第２結合部材は、前記固定布と第２帯状部の間に移動可能な状態で設けられていることを特徴とする請求項１又は２記載の長さ調整可能な衣服。
【請求項４】
前記第２結合部材は、前記第２帯状部材及び固定布の少なくとも一方との間の摩擦力よりも大きな力が加わったときに、移動するように構成されていることを特徴とする請求項３記載の長さ調整可能な衣服。
【請求項５】
前記第１帯状部及び第２帯状部は、紐状に形成されていることを特徴とする請求項１乃至４いずれか記載の長さ調整可能な衣服。
【請求項６】
前記連結されて輪が形成された第１帯状部及び第２帯状部は、身体の首に掛けられることを特徴とする請求項１乃至５いずれか記載の長さ調整可能な衣服。
【考案の詳細な説明】
【技術分野】
【０００１】
本発明は、エプロンや涎掛けなど、第１帯状部の端部と第２帯状部の端部が連結されることにより輪を形成し、その輪を首や腰など身体の一部に掛けることによって身体に装着される長さ調整可能な衣服に関する。
【背景技術】
【０００２】
従来から、第１帯状部の端部と第２帯状部の端部が連結されることにより輪を形成し、その輪を首に掛けることによって身体に装着される衣服として、エプロン、涎掛けなどがあり、腰に掛けることにより身体に装着される衣服として、ベルトなどがある。エプロンや涎掛けは、第１帯状部と第２帯状部を結び付けることによって、それぞれが連結されるのが一般的である。
【０００３】
一方、幼児や高齢者であっても、容易にエプロンや涎掛けなどを装着することができるように、第１帯状部の端部と第２帯状部の端部それぞれにベルクロファスナー（登録商標）などの面ファスナーを設けることが行なわれており、一方の面ファスナーに帯状部の長手方向に延びるものを用いることによって、帯状部の連結位置を調整してその長さを調整することを可能としている。
【考案の開示】
【考案が解決しようとする課題】
【０００４】
しかしながら、面ファスナーの連結位置は、衣服の利用者において、ほぼ同一であるので、繰り返し利用することにより、連結力が劣ってしまうという問題がある。また、面ファスナーを有する衣服を洗濯機などによって、洗濯すると、糸くずなどが面ファスナーに付着して、面ファスナーの連結力が劣ってしまったり、また面ファスナーが他の衣類を擦って傷を付けてしまう場合がある。
【０００５】
そこで、本発明は、繰り返し利用したり、若しくは洗濯機によって洗濯しても連結力が劣ることはなく、また洗濯の際に他の衣服に傷を付けることはなく、さらに幼児や高齢者であっても容易に取り付けることができる長さ調整可能な衣服を提供することを目的とする。
【課題を解決するための手段】
【０００６】
以上の目的を達成するため、本考案は、第１帯状部の端部と第２帯状部の端部が連結されることにより輪を形成し、その輪を身体の一部に掛けることによって身体に装着される衣服において、前記第１帯状部の端部には、第１結合部材が固定されて設けられており、前記第２帯状部には、前記第１結合部材と結合可能な第２結合部材が前記第２帯状部の長手方向に移動可能設けられていることを特徴とする長さ調整可能な衣服である。
【０００７】
以上のように、本考案に係る長さ調整可能な衣服は、第１帯状部の端部に第１結合部材を設け、第２帯状部には、第１結合部材と連結可能な第２結合部材を帯状部の長手方向に移動可能に設けているので、連結された一対の帯状部の長さを適宜変更することができる。また、本考案に係る長さ調整可能な衣服は、面ファスナーを用いていないので、繰返しの使用や洗濯によって連結力が劣ることはなく、また洗濯の際に他の衣類を傷つけることはない。前記第１結合部材及び第２結合部材のいずれか一方は、磁石から構成され、他方は、その磁石と結合可能な素材から構成されていることが好ましい。すなわち、第１結合部材及び第２結合部材いずれも磁石から構成しても良いが、一方を磁石から構成し、他方を鉄などから構成しても良い。
【０００８】
前記第２帯状部の一方の面には、その端部から長手方向に沿って形成された固定布が設けられており、前記第２磁石は、前記固定布と第２帯状部の間に移動可能な状態で設けられていることが好ましく、この場合、前記第２結合部材は、前記第２帯状部材及び固定布の少なくとも一方との間の摩擦力よりも大きな力が加わったときに、移動するように構成されていることが好ましい。また、前記第１帯状部及び第２帯状部は、紐状に形成されていることが好ましく、さらに、前記連結されて輪が形成された第１帯状部及び第２帯状部は、身体の首に掛けられるよう構成されていることが好ましい。
【考案の効果】
【０００９】
以上のように、本考案によれば、繰り返し利用したり、若しくは洗濯機によって洗濯しても連結力が劣ることはなく、また洗濯の際に他の衣服に傷を付けることはなく、さらに幼児や高齢者であっても容易に取り付けることができる長さ調整可能な衣服を提供することができる。
【考案を実施するための最良の形態】
【００１０】
次に、本考案に係る長さ調整可能な衣服の実施例について図面に基づいて説明する。図１は、本実施例に係る長さ調整可能な衣服の正面図である。本実施例に係る長さ調整可能な衣服１０は、高齢者が食事などの際に身に着けるエプロンである。本実施例に係るエプロン１０は、撥水性の布から構成されており、平面台形状の本体部１２の上縁から連続して第１帯状部１４及び第２帯状部１６が上方に延びて形成されている。これら第１帯状部１４及び第２帯状部１６の間は、円弧状に形成されており、本実施例に係るエプロン１０は、この円弧状部１７を利用者の首に当てて利用される。また、第１帯状部１４及び第２帯状部１６は、円弧状部１７を利用者の首に当てた際に、それぞれの端部１４ａ及び１６ａが利用者の首の後側で重なるのに十分余裕を持った長さを有する。
【００１１】
第１帯状部１４の端部１４ａには、円盤状の第１磁石１８が設けられており、図２に示すように、第１帯状部１４の端部１４ａの裏面側に位置する第１磁石１８は、それよりも若干大きく形成された第１固定布２０が被せられ、第１固定布２０の縁が第１帯状部１４に縫合されることによって、固定されている。
【００１２】
第２帯状部１６の裏面には、図２に示すように、帯状に形成された第２固定布２４が第２帯状部１６の端部１６ａから内側の縁に沿って設けられており、その第２固定布２４と第２帯状部１６の間には、図３に示すように第１磁石１８と結合可能な円盤状の第２磁石２２が設けられている。第２固定布２４は、その縁が第２帯状部１６に縫合されており、第２固定布２４と第２帯状部１６の間に設けられた第２磁石２２が移動するのことができる幅を有する。
【００１３】
本実施例に係るエプロン１０は、円弧状部１７を利用者の首に嵌めて、図４及び５に示すように利用者の首の後ろで第１磁石１８と第２磁石２２を連結させる。そして、第２磁石２２は、第２固定布２４に沿って移動可能であるので、図４に示すように、第１帯状部１４と第２帯状部１６の連結位置を調整することができ、連結された第１帯状部１４と第２帯状部１６の長さを適宜変更することができる。
【００１４】
本実施例に係るエプロン１０は、面ファスナーを用いていないので、繰返しの使用や洗濯によって連結力が劣ることはなく、また洗濯の際に他の衣類を傷つけることはない。
【００１５】
また、本実施例においては、エプロンについて説明したが、本考案は、これに限定されるものではなく、幼児用の涎掛け、料理の際に使用するエプロン、作業着、ベルトなど様々なものに適用することができる。
【００１６】
さらに、本実施例においては、第１磁石及び第２磁石を設けたが、第２磁石の代わりに第１磁石と結合可能な鉄から構成されたものを設けてもよく、逆に第１磁石の代わりに第２磁石と結合可能な鉄から構成されたものを設けても良い。
【図面の簡単な説明】
【００１７】
【図１】本考案に係る衣服であるエプロンの実施例の正面図である。
【図２】本実施例に係るエプロンの背面図である。
【図３】本実施例に係るエプロンの第２帯状部の側面断面図である。
【図４】本実施例に係るエプロンの第１帯状部と第２帯状部の連結された状態を示す拡大正面図である。
【図５】本実施例に係るエプロンの第１帯状部と第２帯状部の連結された状態を示す側面断面図である。
【符号の説明】
【００１８】
１０   エプロン（衣服）
１４   第１帯状部
１６   第２帯状部
１８   第１磁石（第１結合部材）
２２   第２磁石（第２結合部材）
【図１】
0003122747.tif 000003
【図２】
0003122747.tif 000004
【図３】
0003122747.tif 000005
【図４】
0003122747.tif 000006
【図５】
0003122747.tif 000007